(57)【要約】【課題】  桁床梁と桁天井梁の一端部に柱を立設しない建物ユニットに隣接建物ユニットを接合し、両ユニットに渡る部屋空間を形成すること。【解決手段】  建物ユニット１０において、４本の柱１１のうちの少なくとも１本の柱を、桁床梁１２と桁天井梁１４の梁長手方向の中間部に接合される中間柱１１Ｃ、１１Ｄとし、各中間柱１１Ｃ、１１Ｄが接合された桁床梁１２と桁天井梁１４の梁長手方向の少なくとも１つの端部には柱を接合せず、桁床梁１２と桁天井梁１４の柱が接合されない各端部のうちの少なくとも１つの端部に隣接建物ユニット２０との接合仕口３１、４１を設けたもの。【選択図】  図１
2006144309.tif 000002
【特許請求の範囲】
【請求項１】
４本の柱と、長辺側の桁床梁、桁天井梁と、短辺側の妻床梁、妻天井梁を骨組みしてなる建物ユニットにおいて、
４本の柱のうちの少なくとも１本の柱を、桁床梁と桁天井梁の梁長手方向の中間部に接合される中間柱とし、かつ中間柱が接合された桁床梁と桁天井梁の梁長手方向の少なくとも１つの端部には柱を接合せず、桁床梁と桁天井梁の柱が接合されない各端部のうちの少なくとも１つの端部に隣接建物ユニットとの接合仕口を設けたことを特徴とする建物ユニット。
【請求項２】
前記桁床梁と桁天井梁の柱が接合されない各端部に交差する妻構面で、妻床梁と妻天井梁の少なくとも一方を省略した請求項１に記載の建物ユニット。
【請求項３】
請求項１又は２に記載の建物ユニットにおける桁床梁と桁天井梁の柱が接合されない各端部に交差する妻構面に、隣接建物ユニットの妻構面を接続してなるユニット建物であって、
建物ユニットにおける桁床梁と桁天井梁の柱が接合されない各端部に相突き合わされる、隣接建物ユニットの桁床梁と桁天井梁の端部にも柱を接合しないユニット建物。
【発明の詳細な説明】
【技術分野】
【０００１】
本発明は建物ユニット及びユニット建物に関する。
【背景技術】
【０００２】
特許文献１に記載の如く、建物ユニットの柱位置によって制約されていた間取り設定の自由度を向上するため、建物ユニットを構成する４本の柱のうちの少なくとも１本の柱を、桁床梁と桁天井梁の梁長手方向の中間部に接合される中間柱とし、かつ中間柱が接合された桁床梁と桁天井梁の梁長手方向の少なくともの１つの端部には柱を接合しないものが提案されている。
【特許文献１】特許2978446
【発明の開示】
【発明が解決しようとする課題】
【０００３】
特許文献１の建物ユニットには以下の問題点がある。
(1)建物ユニットにおける桁床梁と桁天井梁の柱が接合されない各端部に交差する妻構
面に、隣接建物ユニットの妻構面を接続するに際し、隣接建物ユニットとの接合構造について開示するところが一切ない。
【０００４】
(2)建物ユニットの桁床梁と桁天井梁の柱が接合されない各端部に交差する妻構面に、
妻床梁と妻天井梁を設けている。このため、この建物ユニットと隣接建物ユニットの両ユニットに渡る階段室や吹抜室を形成することができない。
【０００５】
本発明の課題は、桁床梁と桁天井梁の一端部に柱を立設しない建物ユニットに隣接建物ユニットを接合し、両ユニットに渡る部屋空間を形成することにある。
【０００６】
本発明の他の課題は、両ユニットに渡る階段室や吹抜室を形成することにある。
【課題を解決するための手段】
【０００７】
請求項１の発明は、４本の柱と、長辺側の桁床梁、桁天井梁と、短辺側の妻床梁、妻天井梁を骨組みしてなる建物ユニットにおいて、４本の柱のうちの少なくとも１本の柱を、桁床梁と桁天井梁の梁長手方向の中間部に接合される中間柱とし、かつ中間柱が接合された桁床梁と桁天井梁の梁長手方向の少なくとも１つの端部には柱を接合せず、桁床梁と桁天井梁の柱が接合されない各端部のうちの少なくとも１つの端部に隣接建物ユニットとの接合仕口を設けたものである。
【０００８】
請求項２の発明は、請求項１の発明において更に、前記桁床梁と桁天井梁の柱が接合されない各端部に交差する妻構面で、妻床梁と妻天井梁の少なくとも一方を省略したものである。
【０００９】
請求項３の発明は、請求項１又は２に記載の建物ユニットにおける桁床梁と桁天井梁の柱が接合されない各端部に交差する妻構面に、隣接建物ユニットの妻構面を接続してなるユニット建物であって、建物ユニットにおける桁床梁と桁天井梁の柱が接合されない各端部に相突き合わされる、隣接建物ユニットの桁床梁と桁天井梁の端部にも柱を接合しないようにしたものである。
【発明の効果】
【００１０】
（請求項１、３）
(a)建物ユニットにおける桁床梁と桁天井梁の柱が接合されない各端部に交差する妻構
面に、隣接建物ユニットの妻構面を接続するに際し、建物ユニットの桁床梁と桁天井梁の柱が接合されない各端部のうちの少なくとも一端部に隣接建物ユニットとの接合仕口を設けたので、両建物ユニットを確実に接合でき、両建物ユニットに渡る部屋空間を形成できる。
【００１１】
（請求項２）
(b)建物ユニットの桁床梁と桁天井梁の柱が接合されない各端部に交差する妻構面で、
妻床梁と妻天井梁の少なくとも一方を省略した。従って、この建物ユニットと隣接建物ユニットの両建物ユニットに渡る階段室や吹抜室を形成できる。
【発明を実施するための最良の形態】
【００１２】
図１は実施例１の建物ユニットを示し、（Ａ）は斜視図、（Ｂ）は模式斜視図、図２はユニット建物の構成例を示し、（Ａ）は２個の建物ユニットの分離状態を示す模式斜視図、（Ｂ）は２個の建物ユニットの接合状態を示す模式斜視図、図３は実施例２の建物ユニットを示し、（Ａ）は斜視図、（Ｂ）は模式斜視図、図４はユニット建物の構成例を示し、（Ａ）は２個の建物ユニットの分離状態を示す模式斜視図、（Ｂ）は２個の建物ユニットの接合状態を示す模式斜視図、図５は実施例３の建物ユニットを示し、（Ａ）は斜視図、（Ｂ）は模式斜視図、図６は２個の建物ユニットの接合仕口の一例を示す斜視図、図７は２個の建物ユニットの接合仕口の他の例を示す斜視図、図８は２個の建物ユニットの接合仕口の他の例を示す斜視図、図９は２個の建物ユニットの接合仕口の他の例を示し、（Ａ）は斜視図、（Ｂ）は端面図である。
【実施例】
【００１３】
（実施例１）（図１、図２）
図１の建物ユニット１０は、４本の柱１１と、平面視で相並ぶ２つの長辺（２つの桁構面）のそれぞれに設けられる各２本の桁床梁１２、桁天井梁１４と、相並ぶ２つの短辺（２つの妻構面）のそれぞれに設けられる各２本の妻床梁１３、妻天井梁１５を概ね箱状に骨組みしたラーメン構造体である。
【００１４】
建物ユニット１０は、平面視で相並ぶ２つの短辺のうちの一方の短辺の両端部に（平面視の４コーナー部のうちの２コーナー部）に、４本の柱１１のうちの２本の柱１１Ａ、１１Ｂのそれぞれを配置し、両柱１１Ａ、１１Ｂの下端部同士を一方の妻床梁１３によりつなぎ、上端部同士を一方の妻天井梁１５によりつなぐとともに、各柱１１Ａ、１１Ｂの下端部に各桁床梁１２の梁長手方向の一端部を接合し、上端部に各桁天井梁１４の梁長手方向の一端部を接合し、両桁床梁１２の梁長手方向の他端部同士を他方の妻床梁１３によりつなぎ、両桁天井梁１４の梁長手方向の他端部同士を他方の妻天井梁１５によりつなぐ。
【００１５】
建物ユニット１０は、４本の柱１１のうちの１本の柱１１Ｃを、一方の桁構面の桁床梁１２と桁天井梁１４の梁長手方向の中間部に接合される中間柱１１Ｃとし、かつ中間柱１１Ｃが接合された桁床梁１２と桁天井梁１４の梁長手方向の他端部（平面視の４コーナー部のうちの１コーナー部）には柱１１を接合せず、この桁床梁１２と桁天井梁１４の柱１１が接合されない端部に隣接建物ユニット２０との接合仕口３１、４１を設けた。
【００１６】
建物ユニット１０は、４本の柱１１のうちの残る１本の柱１１Ｄを、他方の桁構面の桁床梁１２と桁天井梁１４の梁長手方向の中間部に接合される中間柱１１Ｄとし、かつ中間柱１１Ｄが接合された桁床梁１２と桁天井梁１４の梁長手方向の他端部（平面視の４コーナー部のうちの１コーナー部）には柱１１を接合せず、この桁床梁１２と桁天井梁１４の柱１１が接合されない端部に隣接建物ユニット２０との接合仕口３１、４１を設けた。
【００１７】
図２は、建物ユニット１０を用いたユニット建物１の構成例であり、ユニット建物１の一部において、建物ユニット１０に隣接建物ユニット２０を接合し、両建物ユニット１０、２０に渡る部屋空間を形成可能にしたものである。
【００１８】
隣接建物ユニット２０は、平面視で相並ぶ２つの妻構面のうちの一方の妻構面の両端部に２本の柱２１Ａ、２１Ｂのそれぞれを配置し、他方の妻構面の両端部に２本の仮柱２１Ｃ、２１Ｄのそれぞれを配置し、それら４本の柱２１Ａ〜２１Ｄの下端部同士を桁床梁２２、妻床梁２３によりつなぎ、上端部同士を桁天井梁２４、妻天井梁２５によりつなぐ。
【００１９】
隣接建物ユニット２０は、桁床梁２２と桁天井梁２４の仮柱２１Ｃ、２１Ｄが接合された端部に、建物ユニット１０との接合仕口３２、４２を設けてある。
【００２０】
ユニット建物１は、建物ユニット１０における桁床梁１２と桁天井梁１４の柱１１が接合されない端部に交差する妻構面に、隣接建物ユニット２０における桁床梁２２と桁天井梁２４の仮柱２１Ｃ、２１Ｄが接合された端部に交差する妻構面を接続して構築される。具体的には、建物ユニット１０の桁床梁１２、桁天井梁１４のそれぞれに設けた接合仕口３１、４１に、隣接建物ユニット２０の桁床梁２２、桁天井梁２４のそれぞれに設けた接合仕口３２、４２を相突き合わせ、接合仕口３１と接合仕口３２をボルト３３（図６〜図９）で、接合仕口４１と接合仕口４２をボルト４３（不図示）で接続する。その後、隣接建物ユニット２０の仮柱２１Ｃ、２１Ｄは撤去する。接合仕口３１、３２（４１、４２も同じ）の接合構造例については後述する。
【００２１】
本実施例によれば以下の作用効果を奏する。
建物ユニット１０における桁床梁１２と桁天井梁１４の柱１１が接合されない各端部に交差する妻構面に、隣接建物ユニット２０の妻構面を接続するに際し、建物ユニット１０の桁床梁１２と桁天井梁１４の柱１１が接合されない各端部に隣接建物ユニット２０との接合仕口３１、３２を設けたので、両建物ユニット１０、２０を確実に接合でき、両建物ユニット１０、２０に渡る部屋空間を形成できる。
【００２２】
尚、建物ユニット１０と隣接建物ユニット２０は、建物ユニット１０における桁床梁１２と桁天井梁１４の一方の柱１１が接合されない端部にだけ接合仕口３１（又は４１）を設け、隣接建物ユニット２０における桁床梁２２と桁天井梁２４の一方の仮柱２１Ｃ、２１Ｄが接合された端部にだけ接合仕口３２（又は４２）を設け、それらの接合仕口３１（又は４１）に接合仕口３２（又は４２）を接続するものでも良い。
【００２３】
（実施例２）（図３、図４）
図３の建物ユニット１０Ａは、図１の建物ユニット１０の変形例であり、桁床梁１２と桁天井梁１４の柱１１が接合されない各端部に交差する妻構面で、妻床梁１３と妻天井梁１５を省略したものである。妻床梁１３と妻天井梁１５の省略部には、建物ユニット１０Ａの製造段階、輸送段階で仮梁を設置することができる。
【００２４】
図４のユニット建物１Ａは、建物ユニット１０Ａに隣接建物ユニット２０Ａを接合したものである。隣接建物ユニット２０Ａは、図２の隣接建物ユニット２０の変形例であり、桁床梁２２と桁天井梁２４の仮柱２１Ｃ、２１Ｄが接合された端部に交差する妻構面で、妻床梁２３と妻天井梁２５を省略したものである。妻床梁２３と妻天井梁２５の省略部には、隣接建物ユニット２０Ａの製造段階、輸送段階で仮梁を設置することができる。
【００２５】
ユニット建物１Ａにあっては、建物ユニット１０Ａと隣接建物ユニット２０Ａが互いに接続される妻構面で、それらの妻床梁１３、２３、妻天井梁１５、２５を省略したから、両建物ユニット１０Ａ、２０Ａに渡る階段室や吹抜室を形成できる。建物ユニット１０Ａ
と隣接建物ユニット２０Ａが、ユニット建物１Ａに形成される階段室や吹抜室の下階部分を構成するときには、妻床梁１３、２３の省略は不要になるし、それらの上階部分を構成するときには、妻天井梁１５、２５の省略が不要になる。
【００２６】
（実施例３）（図５）
図５の建物ユニット１０Ｂは、図１の建物ユニット１０の変形例であり、平面視で相並ぶ２つの短辺（２つの妻構面）のうちの一方の短辺の両端部に、４本の柱１１のうちの２本の柱１１Ａ、１１Ｂのそれぞれを配置し、他方の短辺の一端部に、４本の柱１１のうちの１本の柱１１Ｃを配置する。
【００２７】
そして、建物ユニット１０Ｂは、４本の柱１１のうちの残る１本の柱１１Ｄを、平面視で相並ぶ２つの長辺（２つの桁構面）のうちの一方の桁構面の桁床梁１２と桁天井梁１４の梁長手方向の中間部に接合される中間柱１１Ｄとし、かつ中間柱１１Ｄが接合された桁床梁１２と桁天井梁１４の梁長手方向の他端部には柱１１を接合せず、この桁床梁１２と桁天井梁１４の柱１１が接合されない端部に隣接建物ユニット２０との接合仕口３１、４１を設けた。このとき、柱１１Ｃが接合された桁床梁１２と桁天井梁１４の端部にも、隣接建物ユニット２０との接合仕口を設けることができる。
【００２８】
（接合仕口の構造例）（図６〜図９）
建物ユニット１０（１０Ａ、１０Ｂ）の桁床梁１２の端部に設けた接合仕口３１（桁天井梁１４の端部に設けた接合仕口４１も同じ）と、隣接建物ユニット２０（２０Ａ）の桁床梁２２の端部に設けた接合仕口３２（桁天井梁２４の端部に設けた接合仕口４２も同じ）は、図６〜図９の如くに構成できる。
【００２９】
（図６の例）
接合仕口３１はＣ形鋼製桁床梁１２の端部に平板状エンドプレート３１Ａを溶接して構成される。接合仕口３２はＣ形鋼製桁床梁２２の端部に平板状エンドプレート３２Ａを溶接して構成される。ボルト３３をエンドプレート３２Ａのボルト締結孔３２Ｂから、エンドプレート３１Ａのボルト締結孔３１Ｂに通し、その挿通端にナット３３Ａを締結し、桁床梁１２と桁床梁２２を剛接合する。エンドプレート３１Ａ、３２Ａを薄肉にしたり、ボルト３３を１本にすることにより、桁床梁１２と桁床梁２２をピン接合することもできる。
【００３０】
（図７の例）
接合仕口３１はＣ形鋼製桁床梁１２の端部に６面体からなるボックス５１を溶接して構成される。接合仕口３２はＣ形鋼製桁床梁２２の端部に６面体からなるボックス５２を溶接して構成される。ボックス５１とボックス５２の相突き合わせ部に平板状スペーサ５３を挟み、ボルト３３をボックス５２の両側面に設けたボルト締結孔５２Ａ、５２Ｂ、スペーサ５３のボルト締結孔５３Ａ、ボックス５１の両側面に設けたボルト締結孔５１Ａ、５１Ｂに通し、その挿通端にナット３３Ａを締結し、桁床梁１２と桁床梁２２を剛接合する。
【００３１】
（図８の例）
接合仕口３１はＣ形鋼製桁床梁１２の端部に６面体からなるボックス６１を溶接して構成される。接合仕口３２はＣ形鋼製桁床梁２２の端部に６面体からなるボックス６２を溶接して構成される。ボルト３３をボックス６２の一側面に設けた大径孔６２Ｂからボックス６２の内部に導入し、ボックス６１とボックス６２の相接する側面に設けたボルト締結孔６２Ａ、６１Ａに通し、その挿通端をボックス６１のボルト締結孔６１Ａまわりの内面に設けてある裏ナット３３Ａに締結し、桁床梁１２と桁床梁２２をピン接合又は半剛接合する。
【００３２】
（図９の例）
接合仕口３１はＣ形鋼製桁床梁１２の端部にて構成され、接合仕口３２はＣ形鋼製桁床梁２２の端部にて構成される。Ｌ形鋼の上つなぎプレート７１を桁床梁１２と桁床梁２２の上側コーナー部に当て、ボルト３３を、上つなぎプレート７１の水平面と桁床梁１２、２２の上フランジ、上つなぎプレート７１の鉛直面と桁床梁１２、２２のウエブのそれぞれに通し、それらの挿通端にナット３３Ａを締結するとともに、Ｌ形鋼の下つなぎプレート７２を桁床梁１２と桁床梁２２の下側コーナー部に当て、ボルト３３を、下つなぎプレート７２の水平面と桁床梁１２、２２の下フランジ、下つなぎプレート７２の鉛直面と桁床梁１２、２２のウエブのそれぞれに通し、それらの挿通端にナット３３Ａを締結し、桁床梁１２と桁床梁２２を剛接合する。
【００３３】
以上、本発明の実施例を図面により詳述したが、本発明の具体的な構成はこの実施例に限られるものではなく、本発明の要旨を逸脱しない範囲の設計の変更等があっても本発明に含まれる。例えば、建物ユニット１０（又は１０Ａ、１０Ｂ）と隣接建物ユニット２０とでユニット建物１を構成するとき、隣接建物ユニット２０として建物ユニット１０（又は１０Ａ、１０Ｂ）と同一構成のものを用いることができ、建物ユニット１０の桁床梁１２と桁天井梁１４の柱が接合されない端部に設けた接合仕口と、隣接建物ユニット２０としての建物ユニット１０の桁床梁１２と桁天井梁１４の柱が接合されない端部に設けた接合仕口とを接続するものでも良い。
【図面の簡単な説明】
【００３４】
【図１】図１は実施例１の建物ユニットを示し、（Ａ）は斜視図、（Ｂ）は模式斜視図である。
【図２】図２はユニット建物の構成例を示し、（Ａ）は２個の建物ユニットの分離状態を示す模式斜視図、（Ｂ）は２個の建物ユニットの接合状態を示す模式斜視図である。
【図３】図３は実施例２の建物ユニットを示し、（Ａ）は斜視図、（Ｂ）は模式斜視図である。
【図４】図４はユニット建物の構成例を示し、（Ａ）は２個の建物ユニットの分離状態を示す模式斜視図、（Ｂ）は２個の建物ユニットの接合状態を示す模式斜視図である。
【図５】図５は実施例３の建物ユニットを示し、（Ａ）は斜視図、（Ｂ）は模式斜視図である。
【図６】図６は２個の建物ユニットの接合仕口の一例を示す斜視図である。
【図７】図７は２個の建物ユニットの接合仕口の他の例を示す斜視図である。
【図８】図８は２個の建物ユニットの接合仕口の他の例を示す斜視図である。
【図９】図９は２個の建物ユニットの接合仕口の他の例を示し、（Ａ）は斜視図、（Ｂ）は端面図である。
【符号の説明】
【００３５】
１０、１０Ａ、１０Ｂ  建物ユニット
１１、１１Ａ〜１１Ｄ  柱
１１Ｃ、１１Ｄ  中間柱
１２  桁床梁
１３  妻床梁
１４  桁天井梁
１５  妻天井梁
２０、２０Ａ  隣接建物ユニット
２１Ａ、２１Ｂ  柱
２２  桁床梁
２３  妻床梁
２４  桁天井梁
２５  妻天井梁
３１、３２  接合仕口
４１、４２  接合仕口
【図１】
2006144309.tif 000003
【図２】
2006144309.tif 000004
【図３】
2006144309.tif 000005
【図４】
2006144309.tif 000006
【図５】
2006144309.tif 000007
【図６】
2006144309.tif 000008
【図７】
2006144309.tif 000009
【図８】
2006144309.tif 000010
【図９】
2006144309.tif 000011